【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
複数の光源から放射された複数の光束を複数の偏向面を有する共通の偏向器の異なる偏向面で偏向させ、該複数の光束の各々に対応して設けられた複数の走査光学系を介して対応する複数の記録媒体の面に導光し、該記録媒体の各々の面に画像を形成する画像形成装置において、
該画像形成装置は、該複数の記録媒体の各々において、該画像の解像度を切り替える解像度切り替え手段と、該記録媒体の面における走査線の傾きを調整する走査線傾き調整手段と、を有していることを特徴とする画像形成装置。
【請求項２】
前記解像度切り替え手段は、前記偏向器又は／及び前記記録媒体の回転速度を変更することにより、前記画像の解像度を切り替えることを特徴とする請求項１に記載の画像形成装置。
【請求項３】
前記走査線傾き調整手段は、前記解像度切り替え手段からの情報に応じて前記走査光学系を構成する少なくとも１つの光学素子を前記走査光学系の光軸に対して非対称に傾けることにより、前記記録媒体の面における走査線の傾きを調整することを特徴とする請求項１又は２に記載の画像形成装置。
【請求項４】
前記走査線傾き調整手段は、前記解像度切り替え手段が画像の解像度を切り替えるのと同時に、前記記録媒体の面における走査線の傾きを調整することを特徴とする請求項１、２又は３に記載の画像形成装置。
【請求項５】
複数の光源から放射された複数の光束を複数の偏向面を有する共通の偏向器の異なる偏向面で偏向させ、該複数の光束の各々に対応して設けられた複数の走査光学系を介して対応する複数の記録媒体の面に導光し、該記録媒体の各々の面に画像を形成する画像形成装置において、
該画像形成装置は、該複数の記録媒体の各々において、該画像の解像度を切り替える解像度切り替え手段を有し、
最も低解像度時の解像度をＲ１（dpi）、(1/mm)、
該複数の走査光学系の各々の主走査方向の焦点距離をｆ（mm）
該複数の記録媒体の各々の記録媒体の面における有効画像半幅をＹ（mm）、
該共通の偏向器の偏向面数をＮ、
同一の記録媒体面へ向かうビーム本数をＭ、
とするとき、
該複数の記録媒体の面における走査線の傾き量の相対差Ａは、
Ａ＜（25.4×Ｙ×Ｎ×Ｍ）／（π×ｆ×Ｒ１）
なる条件を満足するように設定されていることを特徴とする画像形成装置。
【請求項６】
前記解像度切り替え手段は、前記偏向器又は／及び前記記録媒体の回転速度を変更することにより、前記画像の解像度を切り替えることを特徴とする請求項５に記載の画像形成装置。
【請求項７】
前記画像形成装置は、該複数の記録媒体の各々において、該記録媒体の面における走査線の傾きを調整する走査線傾き調整手段と、を有していることを特徴とする請求項５又は６に記載の画像形成装置。
【請求項８】
前記走査線傾き調整手段は、前記解像度切り替え手段からの情報に応じて前記走査光学系を構成する少なくとも１つの光学素子を変位させることにより、前記記録媒体の面における走査線の傾きを調整することを特徴とする請求項７に記載の画像形成装置。
【請求項９】
前記複数の記録媒体の面における走査線の傾き相対差Ａは、
最も高解像度時の解像度（dpi）、(1/mm)をＲ２とするとき、
（25.4×Ｙ×Ｎ×Ｍ）／（π×ｆ×Ｒ２）≦Ａ＜（25.4×Ｙ×Ｎ×Ｍ）／（π×ｆ×Ｒ１）
なる条件を満足するように設定されていることを特徴とする請求項５に記載の画像形成装置。
【請求項１０】
各々が請求項１乃至９の何れか１項に記載の画像形成装置の記録媒体の面に配置され、互いに異なった色の画像を形成する複数の像担持体を有することを特徴とするカラー画像形成装置。
【請求項１１】
外部機器から入力した色信号を異なった色の画像データに変換して各々の画像形成装置に入力せしめるプリンタコントローラを有していることを特徴とする請求項１０記載のカラー画像形成装置。
【請求項１２】
請求項１乃至９の何れか１項の画像形成装置を用いて、前記記録媒体の面に設けた感光ドラムに光束を導光することを特徴とするレーザービームプリンタ。
【手続補正２】
【補正対象書類名】明細書
【補正対象項目名】００１３
【補正方法】変更
【補正の内容】
【００１３】
請求項１の発明の画像形成装置は、
複数の光源から放射された複数の光束を複数の偏向面を有する共通の偏向器の異なる偏向面で偏向させ、該複数の光束の各々に対応して設けられた複数の走査光学系を介して対応する複数の記録媒体の面に導光し、該記録媒体の各々の面に画像を形成する画像形成装置において、
該画像形成装置は、該複数の記録媒体の各々において、該画像の解像度を切り替える解像度切り替え手段と、該記録媒体の面における走査線の傾きを調整する走査線傾き調整手段と、を有していることを特徴としている。
【手続補正３】
【補正対象書類名】明細書
【補正対象項目名】００１４
【補正方法】変更
【補正の内容】
【００１４】
請求項２の発明は請求項１又は２の発明において、
前記解像度切り替え手段は、前記偏向器又は／及び前記記録媒体の回転速度を変更することにより、前記画像の解像度を切り替えることを特徴としている。
【手続補正４】
【補正対象書類名】明細書
【補正対象項目名】００１５
【補正方法】変更
【補正の内容】
【００１５】
請求項３の発明は請求項１又は２の発明において、
前記走査線傾き調整手段は、前記解像度切り替え手段からの情報に応じて前記走査光学系を構成する少なくとも１つの光学素子を前記走査光学系の光軸に対して非対称に傾けることにより、前記記録媒体の面における走査線の傾きを調整することを特徴としている。
【手続補正５】
【補正対象書類名】明細書
【補正対象項目名】００１６
【補正方法】変更
【補正の内容】
【００１６】
請求項４の発明は請求項１、２又は３の発明において、前記走査線傾き調整手段は、前記解像度切り替え手段が画像の解像度を切り替えるのと同時に、前記記録媒体の面における走査線の傾きを調整することを特徴としている。
【手続補正６】
【補正対象書類名】明細書
【補正対象項目名】００１７
【補正方法】変更
【補正の内容】
【００１７】
請求項５の発明の画像形成装置は、
複数の光源から放射された複数の光束を複数の偏向面を有する共通の偏向器の異なる偏向面で偏向させ、該複数の光束の各々に対応して設けられた複数の走査光学系を介して対応する複数の記録媒体の面に導光し、該記録媒体の各々の面に画像を形成する画像形成装置において、
該画像形成装置は、該複数の記録媒体の各々において、該画像の解像度を切り替える解像度切り替え手段を有し、
最も低解像度時の解像度をＲ１（dpi）、(1/mm)、
該複数の走査光学系の各々の主走査方向の焦点距離をｆ（mm）
該複数の記録媒体の各々の記録媒体の面における有効画像半幅をＹ（mm）、
該共通の偏向器の偏向面数をＮ、
同一の記録媒体面へ向かうビーム本数をＭ、
とするとき、
該複数の記録媒体の面における走査線の傾き量の相対差Ａは、
Ａ＜（25.4×Ｙ×Ｎ×Ｍ）／（π×ｆ×Ｒ１）
なる条件を満足するように設定されていることを特徴としている。
【手続補正７】
【補正対象書類名】明細書
【補正対象項目名】００１８
【補正方法】変更
【補正の内容】
【００１８】
請求項６の発明は請求項５の発明において、
前記解像度切り替え手段は、前記偏向器又は／及び前記記録媒体の回転速度を変更することにより、前記画像の解像度を切り替えることを特徴としている。
【手続補正８】
【補正対象書類名】明細書
【補正対象項目名】００１９
【補正方法】変更
【補正の内容】
【００１９】
請求項７の発明は、請求項５又は６の発明において、
前記画像形成装置は、該複数の記録媒体の各々において、該記録媒体の面における走査線の傾きを調整する走査線傾き調整手段と、を有していることを特徴としている。
【手続補正９】
【補正対象書類名】明細書
【補正対象項目名】００２０
【補正方法】変更
【補正の内容】
【００２０】
請求項８の発明は請求項７の発明において、
前記走査線傾き調整手段は、前記解像度切り替え手段からの情報に応じて前記走査光学系を構成する少なくとも１つの光学素子を変位させることにより、前記記録媒体の面における走査線の傾きを調整することを特徴としている。
【手続補正１０】
【補正対象書類名】明細書
【補正対象項目名】００２１
【補正方法】変更
【補正の内容】
【００２１】
請求項９の発明は請求項５の発明において、
前記複数の記録媒体の面における走査線の傾き相対差Ａは、
最も高解像度時の解像度（dpi）、(1/mm)をＲ２とするとき、
（25.4×Ｙ×Ｎ×Ｍ）／（π×ｆ×Ｒ２）≦Ａ＜（25.4×Ｙ×Ｎ×Ｍ）／（π×ｆ×Ｒ１）
なる条件を満足するように設定されていることを特徴としている。
【手続補正１１】
【補正対象書類名】明細書
【補正対象項目名】００２２
【補正方法】変更
【補正の内容】
【００２２】
請求項１０の発明のカラー画像形成装置は、
各々が請求項１乃至９の何れか１項に記載の画像形成装置の記録媒体の面に配置され、互いに異なった色の画像を形成する複数の像担持体を有することを特徴としている。
【手続補正１２】
【補正対象書類名】明細書
【補正対象項目名】００２３
【補正方法】変更
【補正の内容】
【００２３】
請求項１１の発明は請求項１０の発明において、
外部機器から入力した色信号を異なった色の画像データに変換して各々の画像形成装置に入力せしめるプリンタコントローラを有していることを特徴としている。
【手続補正１３】
【補正対象書類名】明細書
【補正対象項目名】００２４
【補正方法】変更
【補正の内容】
【００２４】
請求項１２の発明のレーザービームプリンタは、
請求項１乃至９の何れか１項の画像形成装置を用いて、前記記録媒体の面に設けた感光ドラムに光束を導光することを特徴としている。
【手続補正１４】
【補正対象書類名】明細書
【補正対象項目名】００３８
【補正方法】変更
【補正の内容】
【００３８】
８ａ，８ｂは各々画像の解像度を切り替える解像度切り替え手段である。解像度切り替え手段８ａ，８ｂは各々対応する感光ドラム７ａ，７ｂの回転速度(モータのスピード)を変更することにより画像の解像度を切り替えており、解像度切り替え手段８ｃは偏向器５の回転速度(モータのスピード)を変更することにより画像の解像度を切り替えている。